(57)【特許請求の範囲】
【請求項１】
（ａ）下記一般式（１）で表されるカチオン界面活性剤を０．５〜５質量％、（ｂ）炭素数が８〜２２のアルキル基を有する両性界面活性剤を０．５〜４質量％、（ｃ）ベンジルアルコール、プロピレングリコールモノフェニルエーテル、エチレングリコールモノフェニルエーテル、エチレングリコールモノベンジルエーテル、エチレングリコールモノヘキシルエーテルから選ばれる１種、または２種以上の有機化合物を０．５〜１０質量％含有し、（ａ）／（ｂ）の質量比が０．３０〜８であり、（ａ）／（ｃ）の質量比が０．０５０〜３５である硬質表面用液体洗浄剤組成物。
【化１】
0005659087.tif 000006
〔式中、Ｒ1は炭素数６〜１８の炭化水素基、Ｒ2、Ｒ3はそれぞれ独立に炭素数１〜３のアルキル基を表し、Ｒ4は炭素数１〜３のアルキレン基を表す。Ｚ-は陰イオン基である。〕
【請求項２】
（ａ）下記一般式（１）で表されるカチオン界面活性剤を０．５〜５質量％、（ｂ）炭素数が８〜２２のアルキル基を有する両性界面活性剤を０．５〜４質量％、（ｃ）ベンジルアルコール、プロピレングリコールモノフェニルエーテル、エチレングリコールモノフェニルエーテル、エチレングリコールモノベンジルエーテル、エチレングリコールモノヘキシルエーテルから選ばれる１種、または２種以上の有機化合物を０．５〜１０質量％含有し、（ａ）／（ｂ）の質量比が０．３０〜８であり、（ａ）／（ｃ）の質量比が０．０５０〜３５であり、微生物に由来するピンク色及び／又は紅色を呈する汚れを除去する硬質表面用液体洗浄剤組成物。
【化２】
0005659087.tif 000007
〔式中、Ｒ1は炭素数６〜１８の炭化水素基、Ｒ2、Ｒ3はそれぞれ独立に炭素数１〜３のアルキル基を表し、Ｒ4は炭素数１〜３のアルキレン基を表す。Ｚ-は陰イオン基である。〕
【請求項３】
請求項１または請求項２に記載の硬質表面用洗浄剤組成物を汚れに接触させ、微生物に由来するピンク色及び／又は紅色を呈する汚れを除去する方法。
【発明の詳細な説明】
【技術分野】
【０００１】
本発明は、浴室等の水まわりに発生した微生物由来のピンク色の汚れ及び／又は紅色の汚れの洗浄に適した硬質表面用液体洗浄剤組成物に関する。
【背景技術】
【０００２】
浴室や洗面所、台所等の水まわりは湿度が高く、ピンク色あるいは紅色を呈するヌメリ汚れが発生しやすい部位である（例えば非特許文献１）。これらの汚れから、ピンク色を有するメチロバクテリウム属細菌が共通に検出され、また呈色する色スペクトルが汚れからの単離菌のスペクトルと同一であることが報告されており、メチロバクテリウム属細菌がピンク色の汚れの主要な有色菌種であることを示唆している。このような浴室等の水まわりの汚れ実態に対応し、種々の洗浄方法が提案されている。
【０００３】
特許文献１には、次亜塩素酸塩、アルカリ金属水酸化物、特定の界面活性剤を含有するバイオフィルム処理剤が開示されている。特許文献２には、ロドトルラに対する抗菌活性値が２以上であるヌメリ抑制成分を含有するヌメリ抑制用組成物、及び該組成物をヌメリが発生する前に予め対象面に供するヌメリ抑制方法が開示されている。
【０００４】
しかしながら、特許文献１記載の技術は、強力な酸化剤である次亜塩素酸塩を用いていることから、実際の使用時、衣服にかかった場合の色落ちへの対処や、不快な塩素臭の発生、あるいは塩素ガスの発生を避けるため酸性物質と混合しないことなど周到な準備が必要な作業であり、日々の家事の中で行うには煩雑な作業である。また、特許文献２記載の技術は、ヌメリを除去することを主目的とするのではなく、従来ヌメリが発生しやすい場所などにヌメリが発生するのを予防することを主目的とするものである。従って、特許文献２には、既に存在しているヌメリ汚れの除去や洗浄に対して効果的な技術については開示がない。
【０００５】
一方で浴室内の汚れ全般に対して、酸化剤を用いない洗浄剤の設計も試みられている。特許文献３においては、浴室内や洗面所などの水まわりに発生する汚れに対して、特定の非イオン界面活性剤、特定の高分子重合体、特定の有機カルボン酸類、水溶性溶剤、水を含有し、高洗浄性を訴求した組成物が開示されている。特許文献４には、特定の香料組成物、多価カルボン酸又はその塩、及び特定ＬｏｇＰ値の溶剤を含有する消臭剤組成物及びこれと界面活性剤とを含有する浴室用消臭洗浄剤組成物が開示されている。
【０００６】
しかしながら、特許文献３記載の技術は、アルキルポリグルコシド、エトキシレートノニオン、脂肪酸エタノールアミドから選ばれる非イオン界面活性剤を主たる洗浄成分として用い、アクリル酸系ポリマー、キレート剤、カチオン界面活性剤を含有する洗浄剤組成物であるが、除菌やヌメリ汚れに対する効果は特に言及されておらず、また、洗浄剤の泡立ちに関して不十分である。また、特許文献４は浴室内のこもった臭いの消臭に効果的であり、さらに界面活性剤を併用することで石鹸カス等の浴室の汚れに対する洗浄効果も得られるが、ヌメリ汚れに対する洗浄力については特段言及されていない。
【先行技術文献】
【非特許文献】
【０００７】
【非特許文献１】「浴室などの住環境に発生するスライム」：古畑、防菌防黴、24(11)、723(1996)
【特許文献】
【０００８】
【特許文献１】特開２００５−７５８７３号公報
【特許文献２】特開２００６−１５１９０８号公報
【特許文献３】特開２００４−５９８０６号公報
【特許文献４】特開２００７−１４７４９号公報
【発明の概要】
【発明が解決しようとする課題】
【０００９】
このように日常的に行われる浴室等、住居内の水回り設備の洗浄において、すでに存在しているピンク色及び／又は紅色を呈する汚れを除去できる良好な技術は未だ見出されていない。ピンク色及び／又は紅色を呈する汚れは、浴室内での注目度の高い汚れであり、その存在を清潔感の指標にしている消費者も存在し、浴室等の水まわりに発生した微生物由来のピンク色及び／又は紅色を呈する汚れを除去する手段が求められている。また、スポンジでこすり洗いをする場合、泡状に噴霧して用いる場合等における上記汚れの除去に対して、汚れへの付着性向上の点から洗浄剤の泡立ちを高めることが望まれている。
【課題を解決するための手段】
【００１０】
本発明は、（ａ）下記一般式（１）で表されるカチオン界面活性剤〔以下、（ａ）成分という〕を０．５〜５質量％、（ｂ）炭素数が８〜２２のアルキル基を有する両性界面活性剤〔以下、（ｂ）成分という〕を０．５〜４質量％、（ｃ）ベンジルアルコール、プロピレングリコールモノフェニルエーテル、エチレングリコールモノフェニルエーテル、エチレングリコールモノベンジルエーテル、エチレングリコールモノヘキシルエーテルから選ばれる１種、または２種以上の有機化合物〔以下、（ｃ）成分という〕を０．５〜１０質量％含有し、（ａ）／（ｂ）の質量比が０．３０〜８であり、（ａ）／（ｃ）の質量比が０．０５０〜３５である硬質表面用液体洗浄剤組成物に関する。
【００１１】
【化１】
0005659087.tif 000002
【００１２】
〔式中、Ｒ1は炭素数６〜１８の炭化水素基、Ｒ2、Ｒ3はそれぞれ独立に炭素数１〜３のアルキル基を表し、Ｒ4は炭素数１〜３のアルキレン基を表す。Ｚ-は陰イオン基であり、好ましくはハロゲンイオン、アミノ酸イオン、脂肪酸セッケンアニオン残基、炭素数１〜３０の直鎖若しくは分岐鎖のアルキル基若しくはアルケニル基を有するリン酸エステルアニオン残基、ホスホン酸エステルアニオン残基、スルホン酸エステルアニオン残基若しくは硫酸エステルのアニオン残基、又は重合度３以上のスチレンスルホン酸イオンを有するか若しくは置換基として炭化水素基を有することがある多環式芳香族化合物のスルホン化物のホルマリン縮合物を含有するアニオン性オリゴマー若しくはポリマーを示す。〕
【発明の効果】
【００１３】
本発明によれば、浴室等の水まわりにおいて発生したピンク色及び／又は紅色を呈する微生物由来の汚れに対する洗浄力、並びに泡立ちに優れた硬質表面用液体洗浄剤組成物が提供される。本発明において対象となる細菌汚れは、ピンク色及び／又は紅色を呈する色素を伴うために微量残留している状態でも認知され、従来技術では認知範囲以下まで汚れを完全に除去することが困難であった。そこで、細菌から色素を除去することにより細菌自体を脱色することが有効であると考え、殺菌する効果を有する（ａ）成分、色素を抽出する効果の高い（ｃ）成分、及び洗浄時に起泡性を有し、色素を含む汚れを乳化する効果の高い（ｂ）成分を所定条件で組み合わせることで、高い汚れ除去効果を示すことを見出し、本発明を完成するに至った。
また、本発明の硬質表面用液体洗浄剤組成物は、次亜塩素酸塩のような強力な酸化剤やアルカリ剤を用いなくても優れた洗浄力が発現するため、簡易に水まわりの金属部分やタイル部分等に使用できる。
【発明を実施するための形態】
【００１４】
＜（ａ）成分＞
（ａ）成分は前記一般式（１）で表されるカチオン界面活性剤であり、微生物を殺菌することにより色素を抽出し易くする効果を有する。ピンク色及び／又は紅色を呈する汚れに対する洗浄力向上、泡立ちの点から、一般式（１）中、Ｒ1は炭素数６〜１８のアルキル基であり、炭素数８〜１４のアルキル基が好ましく、炭素数８〜１０のアルキル基がより好ましい。また、洗浄力向上、及び低刺激性の点から、一般式（１）中、Ｒ2、Ｒ3は炭素数１〜３のアルキル基であり、炭素数１〜２のアルキル基が好ましく、メチル基がより好ましい。更に、洗浄力向上及び低刺激性の点から、一般式（１）中、Ｒ4は炭素数１〜３のアルキレン基であり、炭素数１〜２のアルキレン基が好ましく、メチレン基がより好ましい。また、一般式（１）中のＺ-としては、洗浄力向上の点から塩素イオン等のハロゲンイオンが好ましい。なかでも塩素イオンが最も好ましい。
【００１５】
＜（ｂ）成分＞
(ｂ)成分は両性界面活性剤であり、（ａ）成分を細菌に浸透させ殺菌力を高めるとともに、ピンク色及び／又は紅色を呈する汚れから色素を抽出する作用を促進し、認知レベル以下まで汚れを除去可能とする成分である。また、（ｂ）成分により泡立ちが高められ、汚れへの付着性が向上するため、高い汚れの除去効果を可能とする。（ｂ）成分の両性界面活性剤のアルキル基の炭素数は、ピンク色及び／又は紅色を呈する汚れに対する洗浄力、泡立ちの観点から８〜２２であり、好ましくは１０〜１８、より好ましくは１１〜１３である。（ｂ）成分の両性界面活性剤としては、アルキルベタイン、アルキルアミドベタイン、アルキルスルホベタイン、アルキルヒドロキシスルホベタイン、アルキルアミドヒドロキシスルホベタイン、アルキルアミノ脂肪酸塩からなる群から選ばれる１種以上の両性界面活性剤を用いることが洗浄力、泡立ちの点から好ましい。中でも、アルキルアミドプロピルベタイン及びアルキルヒドロキシスルホベタインが好ましく、更には（３−ラウラミドプロピル）ジメチルベタイン、及びラウリルジメチルヒドロキシスルホベタインがより好ましい。また、ここに列挙した両性界面活性剤の２種以上を混合して用いても良い。
【００１６】
＜（ｃ）成分＞
（ｃ）成分は、ベンジルアルコール、プロピレングリコールモノフェニルエーテル、エチレングリコールモノフェニルエーテル、エチレングリコールモノベンジルエーテル、エチレングリコールモノヘキシルエーテルから選ばれる１種、または２種以上の有機化合物である。（ｃ）成分は、細菌から色素を抽出する効果を有する。ピンク色及び／又は紅色を呈する汚れの洗浄力、及び低刺激性の点から、ベンジルアルコール、エチレングリコールモノヘキシルエーテルから選ばれる１種、または２種以上の有機化合物が好ましい。
【００１７】
＜硬質表面用液体洗浄剤組成物＞
本発明の硬質表面用液体洗浄剤組成物は、（ａ）成分を０．５〜５質量％、（ｂ）成分を０．５〜４質量％、（ｃ）成分を０．５〜１０質量％含有し、（ａ）／（ｂ）の質量比が０．３０〜８であり、（ａ）／（ｃ）の質量比が０．０５０〜３５であり、微生物に由来するピンク色及び／又は紅色を呈する汚れを除去する硬質表面用液体洗浄剤組成物である。
【００１８】
本発明の硬質表面用液体洗浄剤組成物は、ピンク色及び／又は紅色を呈する汚れの原因となる微生物を殺菌する効果を有する（ａ）成分、ピンク色及び／又は紅色を呈する汚れの色素を抽出すると考えられる（ｃ）成分、及び洗浄時に起泡性を有し、且つピンク色及び／又は紅色を呈する汚れを含む汚れを乳化すると考えられる（ｂ）成分を、所定条件で組み合わせることで、ピンク色及び／又は紅色を呈する汚れに対して優れた洗浄力を実現し、且つ優れた起泡性を得ている。
【００１９】
本発明の硬質表面用液体洗浄剤組成物は、ピンク色及び／又は紅色を呈する汚れに対する洗浄力の観点から、（ａ）成分を０．５〜５質量％、好ましくは０．６〜４．５質量％、より好ましくは０．７〜４．５質量％含有する。
【００２０】
また、本発明の硬質表面用液体洗浄剤組成物は、ピンク色及び／又は紅色を呈する汚れに対する洗浄力、及び洗浄時の泡立ちの観点から、（ｂ）成分を０．５〜４質量％、好ましくは０．８〜３．５質量％含有する。
【００２１】
また、本発明の硬質表面用液体洗浄剤組成物は、ピンク色及び／又は紅色を呈する汚れに対する洗浄力の観点から、（ｃ）成分を０．５〜１０質量％、好ましくは１〜５質量％、より好ましくは１．５〜２．５質量％含有する。
【００２２】
本発明の硬質表面用液体洗浄剤組成物では（ａ）成分／（ｂ）成分の質量比が０．３０〜８である。ピンク色及び／又は紅色を呈する汚れに対する洗浄力の観点で（ａ）成分／（ｂ）成分の質量比は０．３０以上である。洗浄時の泡立ちの観点で（ａ）成分／（ｂ）成分の質量比は８以下であり、好ましくは７以下、更に好ましくは４．５以下である。
【００２３】
本発明の硬質表面用液体洗浄剤組成物では（ａ）成分／（ｃ）成分の質量比が０．０５０〜３５である。ピンク色及び／又は紅色を呈する汚れに対する洗浄力の観点で（ａ）成分／（ｃ）成分の質量比は０．０５０以上であり、好ましくは０．１０以上、より好ましくは０．３０以上である。比率上限も下限同様にピンク色及び／又は紅色を呈する汚れに対する洗浄力の観点で（ａ）成分／（ｃ）成分の質量比は３５以下であり、好ましくは１０以下、より好ましくは５以下、最も好ましくは２．５以下である。
【００２４】
また、本発明の硬質表面用液体洗浄剤組成物では、貯蔵安定性及びピンク色及び／又は紅色を呈する汚れに対する洗浄力の観点から（ａ）成分、（ｂ）成分、及び（ｃ）成分の含有量の合計が好ましくは１〜２０質量％であり、より好ましくは３〜１５質量％であり、更に好ましくは４〜１０質量％である。
【００２５】
＜その他の成分＞
本発明の硬質表面用液体洗浄剤組成物は、ピンク色及び／又は紅色を呈する汚れに対する更なる洗浄力を付与することを目的に金属イオン捕捉剤〔以下、（ｄ）成分という〕を含有することができる。
【００２６】
（ｄ）成分の具体例としては
（ｉ）アスパラギン酸、グルタミン酸、グリシン等のアミノ酸、及びそのアルカリ金属塩又はアルカノールアミン塩。
（ii）ニトリロ三酢酸、イミノ二酢酸、エチレンジアミン四酢酸、ヒドロキシエチルエチレンジアミン三酢酸、ジエチレントリアミン五酢酸、グリコールエーテルジアミン四酢酸、ヒドロキシエチルイミノ二酢酸、トリエチレンテトラミン六酢酸、ジエンコル酸等のアミノカルボン酸、及びそのアルカリ金属塩又はアルカノールアミン塩。
（iii）ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸、及びそのアルカリ金属塩又はアルカノールアミン塩。
【００２７】
これらの中でも、クエン酸、リンゴ酸等のヒドロキシカルボン酸、エチレンジアミン四酢酸、ヒドロキシエチルエチレンジアミン三酢酸等のアミノカルボン酸、及びこれらの塩が好ましい。塩の形態としては、ナトリウム塩、カリウム塩、アンモニウム塩、アルカノールアミン塩が好ましい。
【００２８】
（ｄ）成分の含有量は、組成物中に好ましくは０．１〜１０質量％、より好ましくは０．５〜８質量％、特に好ましくは１〜６質量％である。
【００２９】
本発明の硬質表面用液体洗浄剤組成物には、洗浄力や泡立ちを阻害しない範囲において、（ａ）成分以外の防腐剤、ハイドロトロープ剤、染料、粘度調整剤、酸化防止剤、香料などを含有することができる。
【００３０】
また本発明の硬質表面用液体洗浄剤組成物は、ピンク色及び／又は紅色を呈する汚れに対する洗浄力の観点から、２０℃におけるｐＨが５〜１２、更に６〜１０であることが好ましく、６〜８が最も好ましい。ｐＨ調整剤としては塩酸や硫酸など無機酸や、有機酸など酸剤を用いることができる。また、アルカリ剤としては、水酸化ナトリウムや水酸化カリウム、炭酸ナトリウム、炭酸カリウムを用いることができる。
【００３１】
＜微生物に由来するピンク色及び／又は紅色を呈する汚れの除去方法＞
本発明の硬質表面用洗浄剤組成物は、汚れに接触させ、微生物に由来するピンク色及び／又は紅色を呈する汚れを除去する方法で用いられる。組成物をスプレー容器に充填し泡状に噴霧して汚れに接触させる方法が好ましい。また、汚れに接触させた後、シャワー等ですすぎ流す方法が好ましいが、洗浄力向上の点から、スポンジ等でこすり洗いをしシャワー等ですすぎ流す方法が、より好ましい。汚れへの塗布量は、充分な洗浄力を得るために２０ｃｍ2あたり０．３〜５ｇが好ましく、０．５〜２ｇがより好ましい。組成物を塗布し、すぐスポンジ等でこすり洗いをしても良好な除去効果が得られるが、汚れに塗布した後、５分〜１時間静置した後にスポンジ等でこすり洗いする方法が洗浄力を高める点から好ましい。
【実施例】
【００３２】
＜実施例１及び比較例１＞
表１、２に記載の組成物を調製した。各組成物のｐＨ（２０℃）は７に調整している。これらの組成物について、ピンク色及び／又は紅色を呈する汚れの除去
性能を評価した。本発明において対象となる細菌汚れは、ピンク色及び／又は紅色を呈する色素を伴うために微量残留している状態でも認知される。そこで、細菌から色素が除去され脱色されることが認知範囲以下まで汚れを除去するために有効である。ピンク色及び／又は紅色を呈する汚れの主要構成菌であるメチロバクテリウム属細菌（以下、ピンク汚れ原因細菌という場合もある）に対する脱色効果、及び組成物の泡立ちを評価した。詳細を以下に示す。
【００３３】
＜ピンク汚れ原因細菌に対する脱色効果＞
（モデル汚れ液の調製）
家庭の浴室からピンク色及び／又は紅色を呈する汚れを採取し、これから分離したメチロバクテリウム属細菌の生理食塩水分散液（モデル汚れ液、以下、ピンク汚れ液という）を調製した。
【００３４】
（評価の手順）
１０ｍＬガラス製スクリュー管に表１、２の組成物を１ｍＬ加え、ここにピンク汚れ液を０．１μＬ加え、軽く振り混ぜた後、３０分静置した。組成物とピンク汚れ液の混合液をメンブランフィルター（０．２μｍ孔径、酢酸セルロース）でろ過し、ろ液の吸光度（５００ｎｍ）を、分光光度計を用いて測定した。細菌が保持しているピンク色及び／又は紅色を呈する色素に対して本発明の組成物は抽出、乳化力に優れるため、ろ液に色素が移動する。ろ液の吸光度が大きくなるほど細菌に対する脱色効果に優れている。この評価では、吸光度が０．１０以上、好ましくは０．２０以上、更に好ましくは０．２５以上であれば脱色効果が高く、ピンク色及び／又は紅色を呈する汚れに対する洗浄力に優れていると判断する。
【００３５】
＜泡立ち評価＞
１０ｍＬガラス製スクリュー管に表１、２の組成物を５ｍＬ加え、フタを閉じて、５回上下に振り混ぜた。その後、スクリュー管内の泡の上端と液面の上端との距離を測定し、この値を泡高さ（ｃｍ）とした。高い汚れ除去効果を得るためには、泡高さが１．６ｃｍｃｍを超えていることが望ましく、２．０ｃｍ以上であれば起泡性が十分であると判断される。
【００３６】
【表１】
0005659087.tif 000003
【００３７】
【表２】
0005659087.tif 000004
【００３８】
＊  （Ｃ１０−Ｃ１４）アルキルグルコシド：アルキル基の炭素数１０〜１４、グルコース平均縮合度１．４
【００３９】
実施例１−１〜１−３及び比較例１−１〜１−４の結果から（ａ）成分／（ｂ）成分の質量比が本発明の範囲では、ピンク色及び／又は紅色を呈する汚れ脱色力に優れ、かつ泡立ちに優れることが分かる。また、実施例１−１、１−１０及び比較例１−１２、１−１３の結果から（ａ）成分／（ｃ）成分の質量比が本発明の範囲では、ピンク色及び／又は紅色を呈する汚れ脱色力の高い性能が確認された。
【００４０】
また、実施例１−１と比較例１−１より、（ａ）成分、及び（ｃ）成分に加えて（ｂ）成分を含有するとピンク色及び／又は紅色を呈する汚れ脱色力及び泡立ちに優れることが分かった。
【００４１】
また、実施例１−１、１−２と比較例１−２より（ａ）成分を含有するとピンク色及び／又は紅色を呈する汚れ脱色力に優れることが分かった。また、実施例１−１、１−２と比較例１−５〜１−１０より（ｃ）成分を含有することでピンク色及び／又は紅色を呈する汚れ脱色力に優れることが分かった。
【００４２】
＜実施例２＞
表３に記載の組成物を調製し、浴室における洗浄力を評価した。浴室の床部に存在するピンク色及び／又は紅色を呈する汚れに対して、表３の組成物を２０ｃｍ2あたり１ｇ塗布し、３０分静置後、３回スポンジでこすり、シャワーですすぎ流した。その結果、実施例２−１〜２−３のいずれも、スポンジでこする時の泡立ちがよく、すすぎ流した後、汚れがきれいに除去されていた。
一方、泡立ち評価において起泡性の低い組成物およびピンク汚れ原因細菌に対する脱色効果が低い組成物について評価を行ったところ、汚れの残留が認知され、本発明の実施例の効果が高いことが確認された。
【００４３】
【表３】
0005659087.tif 000005
【００４４】
＊  ポリオキシエチレンアルキルエーテル：アルキル基の炭素数１３〜１４、エチレンオキシド平均付加モル数７